(57)【要約】【課題】スピニングリールの合成樹脂製のスプールにおいて、スプールの外側面でのシンクマークの発生を抑える。【解決手段】スピニングリールのスプール４は、スピニングリールのリール本体１に前後移動可能に設けられたスプール軸１６に装着され釣り糸を巻き付けるためのものである。スプール４は、前フランジ部４ｃと、後フランジ部４ｂと、糸巻胴部４ａと、を有している。後フランジ部４ｂは、前フランジ部４ｃの後方に配置されている。糸巻胴部４ａは、前フランジ部４ｃと後フランジ部４ｂとを連結するように周方向に間隔を隔てて配置された複数条の連結部２５を有し、前フランジ部４ｃ及び後フランジ部４ｂより小径に両者と一体形成されている。【選択図】図４
2011239722.tif 000002
【特許請求の範囲】
【請求項１】
スピニングリールのリール本体に前後移動可能に設けられたスプール軸に装着され釣り糸を巻き付けるためのスプールであって、
前フランジ部と、
前記前フランジ部の後方に配置された後フランジ部と、
前記前フランジ部と前記後フランジ部とを連結するように周方向に間隔を隔てて配置された複数条の連結部を有し、前記前フランジ部及び前記後フランジ部より小径に両者と一体形成された糸巻胴部と、
を備えたスピニングリールのスプール。
【請求項２】
前記糸巻胴部は、前記前フランジ部と前記後フランジ部との間で前記複数条の連結部の内周部を連結する連結筒部をさらに有する、請求項１に記載のスピニングリールのスプール。
【請求項３】
前記複数条の連結部は、前後方向に沿って配置されている、請求項１又は２に記載のスピニングリールのスプール。
【請求項４】
前記複数条の連結部は、前後方向と交差するように斜めに配置されている、請求項１又は２に記載のスピニングリールのスプール。
【請求項５】
前記複数条の連結部は、
前記前後方向と交差する第１方向に沿って斜めに配置される複数条の第１連結部と、
前記第１方向と交差する第２方向に沿って斜めに配置される複数条の第２連結部と、
を有している、請求項４に記載のスピニングリールのスプール。
【請求項６】
前記糸巻胴部は、前記スプール軸と直交して配置され前記連結部を周方向に連結する少なくとも一つの環状部をさらに有する、請求項１から５のいずれか１項に記載のスピニングリールのスプール。
【請求項７】
前記後フランジ部の外周側に筒状に一体形成されたスカート部をさらに備える、請求項１から６のいずれか１項に記載のスピニングリールのスプール。
【発明の詳細な説明】
【技術分野】
【０００１】
本発明は、スプール、特に、スピニングリールのリール本体に前後移動可能に装着され釣り糸を巻き取るためのスプールに関する。
【背景技術】
【０００２】
スピニングリールのスプールにおいて、射出成形により形成される合成樹脂製のものが従来知られている（例えば、特許文献１参照）。従来のスプールは、釣り糸を巻付可能な糸巻胴部と、糸巻胴部の先端に大径に形成された前フランジ部と、糸巻胴部の基端に大径に形成された補強リブと、を備えている。前フランジ部及び補強リブは、糸巻胴部と一体形成されている。補強リブは、スプール軸方向に間隔を隔てて２つ設けられている。
【先行技術文献】
【特許文献】
【０００３】
【特許文献１】特許第３９５８７３７号明細書
【発明の概要】
【発明が解決しようとする課題】
【０００４】
前記従来の構成では、前フランジ部及び２つの補強部において、肉厚が環状に厚くなる。このため、射出成形の際に冷却すると肉厚が厚い部ほど収縮量が大きくなる。この結果、肉厚が厚い部分でシンクマーク（ひけ）が外側面に発生し、外観の見栄えが悪くなる。
【０００５】
本発明の課題は、スピニングリールの合成樹脂製のスプールにおいて、スプールの外側面でのシンクマークの発生を抑えることにある。
【課題を解決するための手段】
【０００６】
発明１に係るスピニングリールのスプールは、スピニングリールのリール本体に前後移動可能に設けられたスプール軸に装着され釣り糸を巻き付けるためのスプールである。スプールは、前フランジ部と、後フランジ部と、糸巻胴部と、を有している。後フランジ部は、前フランジ部の後方に配置されている。糸巻胴部は、前フランジ部と後フランジ部とを連結するように周方向に間隔を隔てて配置された複数条の連結部を有し、前フランジ部及び後フランジ部より小径に両者と一体形成されている。
【０００７】
このスプールでは、複数条の連結部が前フランジ部と後フランジ部とを連結している。この複数条の連結部により、前フランジ部及び後フランジ部に対して糸巻胴部の肉厚の変動が少なくなるように調整することができる。ここでは、糸巻胴部を周方向に間隔を隔てて配置された複数条の連結部で構成することにより、前フランジ部及び後フランジ部と糸巻胴部との肉厚の変動を調整できる。このため、スプールの外側面でのシンクマークの発生を抑えることができる。
【０００８】
発明２に係るスピニングリールのスプールは、発明１に記載のスプールにおいて、糸巻胴部は、複数条の連結部の内周部を連結する連結筒部をさらに有する。この場合には、連結筒部で連結部の内周部を連結しているので、糸巻胴部の周方向の剛性が高くなる。
【０００９】
発明３に係るスピニングリールのスプールは、発明１又は２に記載のスプールにおいて、複数条の連結部は、前後方向に沿って配置されている。この場合には、連結部の構造が簡素になり、連結部を含むスプールを射出成形により製造しやすくなる。
【００１０】
発明４に係るスピニングリールのスプールは、発明１又は２に記載のスプールにおいて、複数条の連結部は、前後方向と交差するように斜めに配置されている。この場合には、連結部が斜めに配置されるので、糸巻胴部の周方向の剛性がさらに高くなる。
【００１１】
発明５に係るスピニングリールのスプールは、発明４に記載のスプールにおいて、複数条の連結部は、前後方向と交差する第１方向に沿って斜めに配置される第１連結部と、第１方向と交差する第２方向に沿って斜めに配置される第２連結部と、を有している。この場合には、第１方向と第２方向とに斜めに交差する第１連結部と第２連結部とで連結部が構成される。このため、第１連結部と第２連結部との複数の交差部分が周方向及び前後方向に形成される。この結果、糸巻胴部の周方向の剛性がさらに高くなる。
【００１２】
発明６に係るスピニングリールのスプールは、発明１から５のいずれかに記載のスプールにおいて、糸巻胴部は、スプール軸と直交して配置され連結部を周方向に連結する少なくとも一つの環状部をさらに有する。この場合は、周方向に間隔を隔てて配置された連結部が環状部により周方向に連結されるので、糸巻胴部の周方向の剛性がさらに高くなる。
【００１３】
発明７に係るスピニングリールのスプールは、発明１から６のいずれかに記載のスプールにおいて、後フランジ部の外周側に筒状に一体形成されたスカート部をさらに備える。この場合には、筒状のスカート部によりスプール全体の剛性を高めることができる。
【発明の効果】
【００１４】
本発明によれば、糸巻胴部を周方向に間隔を隔てて配置された複数条の連結部で構成することにより、前フランジ部及び後フランジ部と糸巻胴部との肉厚の変動を調整できる。このため、スプールの外側面でのシンクマークの発生を抑えることができる。
【図面の簡単な説明】
【００１５】
【図１】本発明の一実施形態が採用されたスピニングリールの斜視図。
【図２】その側面断面図。
【図３】その背面断面図。
【図４】スプールの分解斜視図。
【図５】図２のＶ−Ｖ線断面図。
【図６】第２実施形態のスプールの斜視図。
【図７】第３実施形態のスプールの斜視図。
【図８】第４実施形態のスプールの斜視図。
【図９】第５実施形態のスプールの斜視図。
【図１０】第６実施形態のスプールの斜視図。
【図１１】第７実施形態のスプールの斜視図。
【図１２】第８実施形態のスプールの斜視図。
【発明を実施するための形態】
【００１６】
＜第１実施形態＞
本発明の第１実施形態を採用したスピニングリールは、図１、図２及び図３に示すように、投げ釣り用のスピニングリールであって、ハンドル１を有し、釣り竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００１７】
リール本体２は、内部にロータ駆動機構５とオシレーティング機構６とを収納している。リール本体２は、両側が開口する筐体部１０と、筐体部１０の両側をそれぞれ塞ぐ第１蓋部材１１及び第２蓋部材１２と、筐体部１０に一体形成された竿取付脚部１３と、筐体部１０及び第１蓋部材１１、第２蓋部材１２を後方から覆う第１カバー部材１４及び第２カバー部材１５とを有している。
【００１８】
ロータ駆動機構５は、図２及び図３に示すように、ハンドル１のハンドル軸１ａがねじ込み固定されるマスターギア軸８と、マスターギア軸８に一体形成されたマスターギア７と、マスターギア７と噛み合うピニオンギア９とを備えている。
【００１９】
マスターギア軸８は、図３に示すように、マスターギア７とアルミニウム合金により一体成形された中実部材であって、リール本体２の第１蓋部材１１、第２蓋部材１２に形成された第１ボス部１１ａ及び第２ボス部１２ａに装着された軸受１９ａ、１９ｂによりリール本体２に回転自在に装着されている。
【００２０】
マスターギア７は、たとえばアルミニウム合金製のフェースギアであって、マスターギア軸８とともに一体成形されている。マスターギア７は、図３に示すように、ピニオンギア９に噛み合う斜歯で構成されるギア部７ａが右側に向くように配置されている。
【００２１】
ピニオンギア９は、図２に示すように、中空筒状の部材であり、前部がロータ３を貫通してロータ３を回転不能に装着している。ピニオンギア９の内周部には、スプール軸１６が貫通して配置されている。ピニオンギア９の前部には、ナット１７が装着されており、ナット１７によりロータ３がピニオンギア９に固定されている。ピニオンギア９は、その軸方向の中間部と後端部とがそれぞれ軸受１８ａ、１８ｂによりリール本体２の筐体部１０に回転自在に支持されている。
【００２２】
オシレーティング機構６は、図２及び図３に示すように、トラバースカム方式のレベルワインド機構であって、ピニオンギア９に噛み合う減速機構２０（図２）と、減速機構２０に連動して回転するトラバースカム軸２１と、トラバースカム軸２１に係合して前後に往復移動するスライダ２２と、スライダ２２をスプール軸１６方向に案内する２本のガイド軸２３ａ、２３ｂを有している。トラバースカム軸２１は、外周面に交差する螺旋状溝２１ａが形成された軸である。
【００２３】
スライダ２２は、図２及び図３に示すように、スプール軸１６の後端を回転不能に連結する部材である。スライダ２２は、トラバースカム軸２１の螺旋状溝２１ａに係合する係合部材２２ａと、係合部材２２ａが装着されトラバースカム軸２１の回転に連動して前後移動するスライダ本体２２ｂとを有している。スライダ２２は、係合部材２２ａの先端が螺旋状溝２１ａに係合することにより、トラバースカム軸２１の回転に応じてスプール軸方向に往復移動し、スプール軸１６をハンドル１の回転に連動して往復移動させる。
【００２４】
ロータ３は、図２に示すように、ピニオンギア９を介してリール本体２に回転自在に装着されたロータ本体３５と、ロータ本体３５に揺動自在に装着されたベールアーム３４とを有している。ロータ本体３５は、たとえばアルミニウム合金製であり、ピニオンギア９に固定された筒状の支持部３０と、支持部３０の後端部外周面の対向する位置から支持部３０と間隔を隔ててそれぞれ前方に延びる第１ロータアーム３１及び第２ロータアーム３２とを有している。ロータ本体３５を構成する支持部３０、第１ロータアーム３１及び第２ロータアーム３２は、たとえばアルミニウム合金製であり、ダイカスト成形により一体成形されている。第１ロータアーム３１及び第２ロータアーム３２の径方向外周側には、図１及び図２に示すように、それぞれ、第１カバー部材３６及び第２カバー部材３７により覆われている。また、第１ロータアーム３１及び第２ロータアーム３２の先端の外周側には、ベールアーム３４を構成する第１ベール支持部材４０及び第２ベール支持部材４２が揺動自在に装着されている。ベールアーム３４は、釣り竿からスプール４に釣り糸をスムーズに案内してスプール４に釣り糸を巻き付けるために設けられている。ベールアーム３４は、糸案内姿勢とそれから反転した糸開放姿勢との間で揺動自在である。
【００２５】
ロータ３は、図２に示すように、逆転防止機構５０により糸繰り出し方向の回転を禁止及び解除可能である。逆転防止機構５０は、筐体部１０に装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の下部に揺動自在に支持されている。
【００２６】
＜スプールの構成＞
スプール４は、図４及び図５に示すように、浅溝形のものである。スプール４は、スプール軸１６の先端部に回転不能かつ着脱可能に連結されている。スプール軸１６の先端部外周面には、平行な面取り部を有する回り止め部１６ａと、雄ねじ部１６ｂと、が形成されている。スプール４は、雄ねじ部１６ｂに螺合するスプールつまみ５４によりスプール軸１６の先端部に着脱可能に固定されている。また、スプール４は、背面にねじ止めされた回り止め部材５５によりスプール軸１６に対して回り止めされる。回り止め部材５５は、断面視正六角形の外周面５５ａを有している。この外周面５５ａは、スプール軸１６に回転不能に装着された有底筒状の音出し部材５６の内周面に係合する。音出し部材５６は、円形のスプール受け５７に接触している。これらの音出し部材５６及びスプール受け５７は、回り止め部１６ａに係合してスプール軸１６に回転不能に装着される。スプール受け５７は、回り止め部１６ａのスプール軸１６の外周面との間の段差で軸方向後方への移動が規制される。なお、音出し部材５６は、第１実施形態では、スプール４がスプール軸１６に対して回転しないので発音機構としては機能しない。
【００２７】
スプール４は、外周に釣り糸が巻き付けられる糸巻胴部４ａと、糸巻胴部４ａの後端部に糸巻胴部４ａより僅かに大径に形成された後フランジ部４ｂと、糸巻胴部４ａの先端部に糸巻胴部４ａより僅かに大径に形成された前フランジ部４ｃと、後フランジ部の外周側に筒状に一体形成されたスカート部４ｄと、を有している。これらの各部は、例えば、ガラス短繊維で強化されたポリアミド樹脂等の合成樹脂製であり、射出成形により形成されている。
【００２８】
糸巻胴部４ａは、ロータ３の支持部３０の外周側に配置されている。糸巻胴部４ａは、周方向に間隔を隔てて配置された複数条の連結部２５と、前フランジ部４ｃと後フランジ部４ｂとの間で連結部２５の内周部を連結する連結筒部２６と、を有している。また、糸巻胴部４ａは、前フランジ部４ｃ形成部分の内周部に形成された円板状の前壁部２７と、貫通孔２８ａを有し前壁部２７の内周部に設けられたボス部２８と、を有している。前壁部２７の後面には、ボス部２８の外周部から放射状に延びる補強用の複数（例えば４つ）のリブが後方に突出して形成されている。ボス部２８の貫通孔２８ａに、スプール軸１６の外周面が回転自在に嵌合している。また、ボス部２８の背面に回り止め部材５５が固定されている。
【００２９】
連結部２５は、前フランジ部４ｃと後フランジ部４ｂとを連結するように前後方向に沿って形成されている。複数条の連結部２５は、糸巻胴部４ａと前フランジ部４ｃ及び後フランジ部４ｂとの肉厚の変動を抑えるために設けられている。連結部２５は、前後方向において、直径が同一の円弧面で外周面が構成されている。第１実施形態では、連結部２５は、例えば１６条設けられている。
【００３０】
連結筒部２６の内周面には、成形時の金型の離脱を良好にするために抜きテーパが形成されている。したがって、スプール軸に対して０．５度から２度程度の角度のテーパ面となっており、後方側が前方側に比べて内径が大きくなっている。
【００３１】
後フランジ部４ｂは、前フランジ部４ｃより僅かに大径に形成されている。後フランジ部４ｃは、糸巻胴部４ａと実質的に直交するように円板状に形成されている。前フランジ部４ｃは、糸巻胴部４ａ側に前方に向かって傾斜するテーパ面を有している。前フランジ部４ｃの前面には、前フランジ部４ｃの肉厚を調整するための第１肉盗み部４ｇが環状に凹んで形成されている。第１肉盗み部４ｇは、前フランジ部４ｃの前面全体に形成されているが、全面に周方向に間隔を隔て形成してもよい。
【００３２】
スカート部４ｄには、釣り糸を係止する釣り糸係止部４ｅが設けられている。釣り糸係止部４ｅは、U字状に凹んだ部分に配置されている。釣り糸係止部４ｅの装着部分を除くスカート部４ｄの外周面には、軽量化を図るとともに肉厚を調整するための矩形に凹んだ複数（例えば１５個）の第２肉盗み部４ｆが周方向に間隔を隔てて形成されている。第２肉盗み部４ｆの形成部分には、環状の凹み部４ｈが形成されている。この凹み部４ｈにより、糸巻胴部４ａからスカート部４ｄに釣り糸が侵入しても、侵入した釣り糸が凹み部４ｈで引っ掛かってそれ以上後方に移動しにくくなくなる。このため、スプール４から後方への糸落ちが生じにくくなる。
【００３３】
このような構成のスプール４では、複数条の連結部２５により、前フランジ部４ｃ及び後フランジ部４ｂに対して肉厚の変動が少なくなるように調整することができる。このため、スプール４の外側部でのシンクマークの発生を抑えることができる。
【００３４】
＜第２実施形態＞
第１実施形態では、スプール４の糸巻胴部４ａの連結部２５を前後方向に沿って配置した。しかし、第２実施形態では、図６に示すように、スプール１０４の糸巻胴部１０４ａの連結部１２５を前後方向と交差させて斜めに形成している。具体的には、連結部１２５は、前フランジ部４ｃとの連結部分と後フランジ部４ｂとの連結部分との周方向の位相が、例えば２２．５度ずれて配置されている。連結筒部１２６は、連結部１２５の内周部を連結する。その他のスプールの構成は、第１実施形態と同様なため説明を省略する。
【００３５】
＜第３実施形態＞
図７に示すように、第３実施形態に係るスプール２０４の糸巻胴部２０４ａは、スプール軸１６と直交して配置され連結部２２５を周方向に連結する少なくとも一つの環状部２２９をさらに有している。第３実施形態では、環状部２２９は、前後方向に間隔を隔てて３個設けられている。連結筒部２２６は、連結部２２５の内周部を連結する。その他のスプールの構成は、第１実施形態と同様なため説明を省略する。
【００３６】
＜第４実施形態＞
図８に示すように、第４実施形態に係るスプール３０４の糸巻胴部３０４ａは、複数条の連結部３２５と、連結筒部３２６と、を有している。連結部３２５は、前後方向と交差する第１方向に沿って斜めに配置される複数条の第１連結部３２５ａと、第１方向と交差する第２方向に沿って斜めに配置される複数条の第２連結部３２５ｂと、を有している。第１連結部３２５ａと第２連結部３２５ｂとは、逆方向に斜めに配置されている。したがって、第１連結部３２５ａと第２連結部３２５ｂは、前後方向の途中で交差している。このため、交差部分３２５ｃにより連結部３２５が補強され、周方向の剛性を高めることができる。連結筒部３２６は、連結部３２５の内周部を連結する。その他のスプールの構成は、第１実施形態と同様なため説明を省略する。
【００３７】
＜第５実施形態＞
図９に示すように、第５実施形態のスプール４０４の糸巻胴部４０４ａは、第１実施形態のスプール４に対して、連結筒部２６が形成されていない。連結部４２５は、第１実施形態の連結筒部２６の内周面が形成されている部分までの厚みを有している。
【００３８】
また、スカート部４０４ｄに形成された肉盗み部４０４ｆがスカート部４０４ｄの内外周面を貫通して形成されている。このようにスカート部４０４ｄの内外周面を貫通して肉盗み部４０４ｆを形成すると、スプール４０４をさらに軽量化できる。その他のスプールの構成は、第１実施形態と同様なため説明を省略する。
【００３９】
＜第６実施形態＞
図１０に示すように、第６実施形態のスプール５０４の糸巻胴部５０４ａは、第３実施形態の環状部２２９を有する糸巻胴部２０４ａに対して、連結筒部２２６が形成されていない。したがって、第５実施形態と同様に連結部５２５及び環状部５２９は、連結筒部２２６の内周面が形成された部分までの厚みを有している。また、肉盗み部５０４ｆは、第５実施形態と同様に、スカート部５０４ｄの内外周面を貫通して形成されている。その他のスプールの構成は、第１実施形態と同様なため説明を省略する。
【００４０】
＜第７実施形態＞
図１１に示すように、第７実施形態のスプール６０４の糸巻胴部６０４ａは、第４実施形態の第１連結部３２５ａ及び第２連結部３２５ｂが形成された連結部３２５を有する糸巻胴部３０４ａに対して、連結筒部３２６が形成されていない。したがって、第５実施形態と同様に第１連結部６２５ａ及び第２連結部６２５ｂを有する連結部６２５は、連結筒部３２６の内周面が形成された部分までの厚みを有している。肉盗み部４ｆを含むその他のスプールの構成は、第１実施形態と同様なため説明を省略する。
【００４１】
＜第８実施形態＞
図１２に示すように、第８実施形態のスプール７０４の糸巻胴部７０４ａは、第７実施形態の第１連結部６２５ａ及び第２連結部６２５ｂが形成された連結部６２５を有する糸巻胴部６０４ａに対して、環状部７２９が形成されている。したがって、第７実施形態と同様に第１連結部７２５ａ及び第２連結部７２５ｂを有する連結部７２５並びに環状部７２９は、第７実施形態の連結部６２５と同じ厚みを有している。肉盗み部４ｆを含むその他のスプールの構成は、第１実施形態と同様なため説明を省略する。
【００４２】
＜特徴＞
（Ａ）スピニングリールのスプール４（１０４，２０４・・・７０４）は、スピニングリールのリール本体２に前後移動可能に設けられたスプール軸１６に装着され釣り糸を巻き付けるためのものである。スプール４（１０４，２０４・・・７０４）は、前フランジ部４ｃと、後フランジ部４ｂと、糸巻胴部４ａ（１０４ａ，２０４ａ・・・７０４ａ）と、を有している。後フランジ部４ｂは、前フランジ部４ｃの後方に配置されている。糸巻胴部４ａ（１０４ａ，２０４ａ・・・７０４ａ）は、前フランジ部４ｃと後フランジ部４ｂとを連結するように周方向に間隔を隔てて配置された複数条の連結部２５（１２５，２２５・・・７２５）を有し、前フランジ部４ｃ及び後フランジ部４ｂより小径に両者と一体形成されている。
【００４３】
このスプールでは、糸巻胴部４ａ（１０４ａ，２０４ａ・・・７０４ａ）は、複数条の連結部２５（１２５，２２５・・・７２５）を有している。連結部２５（１２５，２２５・・・７２５）が前フランジ部４ｃと後フランジ部４ｂとを連結している。この複数条の連結部２５（１２５，２２５・・・７２５）により、前フランジ部４ｃ及び後フランジ部４ｂに対して糸巻胴部４ａ（１０４ａ，２０４ａ・・・７０４ａ）の肉厚の変動が少なくなるように調整することができる。ここでは、糸巻胴部４ａ（１０４ａ，２０４ａ・・・７０４ａ）を周方向に間隔を隔てて配置された複数条の連結部２５（１２５，２２５・・・７２５）で構成することにより、前フランジ部４ｃ及び後フランジ部４ｂと糸巻胴部４ａ（１０４ａ，２０４ａ・・・７０４ａ）との肉厚の変動を調整できる。このため、スプール４（１０４，２０４・・・７０４）の外側面でのシンクマークの発生を抑えることができる。
【００４４】
（Ｂ）スプール４（１０４，２０４，３０４）において、糸巻胴部４ａ（１０４ａ，２０４ａ，３０４ａ）は、複数条の連結部２５（１２５，２２５，３２５）の内周部を連結する連結筒部２６（１２６，２２６，３２６）をさらに有する。この場合には、連結筒部２６（１２６，２２６，３２６）で連結部２５（１２５，２２５，３２５）の内周部を連結しているので、糸巻胴部４ａ（１０４ａ，２０４ａ，３０４ａ）の周方向の剛性が高くなる。
【００４５】
（Ｃ）スプール４（２０４，４０４，５０４）において、複数条の連結部２５（２２５，４２５，５２５）は、前後方向に沿って配置されている。この場合には、連結部２５（２２５，４２５，５２５）の構造が簡素になり、連結部２５（２２５，４２５，５２５）を含むスプール４（２０４，４０４，５０４）を射出成形により製造しやすくなる。
【００４６】
（Ｄ）スプール１０４（３０４，６０４，７０４）において、複数条の連結部１２５（３２５，６２５，７２５）は、前後方向と交差するように斜めに配置されている。この場合には、連結部１２５（３２５，６２５，７２５）が斜めに配置されるので、糸巻胴部１０４ａ（３０４ａ，６０４ａ，７０４ａ）の周方向の剛性がさらに高くなる。
【００４７】
（Ｅ）スプール６０４（７０４）において、複数条の連結部６２５（７２５）は、前後方向と交差する第１方向に沿って斜めに配置される第１連結部６２５ａ（７２５ａ）と、第１方向と交差する第２方向に沿って斜めに配置される第２連結部６２５ｂ（７２５ｂ）と、を有している。この場合には、第１方向と第２方向とに斜めに交差する第１連結部６２５ａ（７２５ａ）と第２連結部６２５ｂ（７２５ｂ）とで連結部６２５（７２５）が構成される。このため、第１連結部６２５ａ（７２５ａ）と第２連結部６２５ｂ（７２５ｂ）との複数の交差部分が周方向及び前後方向に形成される。この結果、糸巻胴部６０４ａ（７０４ａ）の周方向の剛性がさらに高くなる。
【００４８】
（Ｆ）スプール２０４（５０４，７０４）において、糸巻胴部２０４ａ（５０４ａ，７０４ａ）は、スプール軸１６と直交して配置され連結部２２５（５２５，６２５）を周方向に連結する少なくとも一つの環状部２２９（５２９，７２９）をさらに有する。この場合は、周方向に間隔を隔てて配置された連結部２２５（５２５，６２５）が環状部２２９（５２９，７２９）により周方向に連結されるので、糸巻胴部２０４ａ（５０４ａ，７０４ａ）の周方向の剛性がさらに高くなる。
【００４９】
（Ｇ）スプール４（１０４，２０４・・・７０４）において、後フランジ部４ｂの外周側に筒状に一体形成されたスカート部４ｄ（４０４ｄ）をさらに備える。この場合には、筒状のスカート部４ｄ（４０４ｄ）によりスプール４（１０４，２０４・・・７０４）全体の剛性を高めることができる。
【００５０】
＜他の実施形態＞
以上、本発明の一実施形態について説明したが、本発明は上記実施形態に限定されるものではなく、発明の要旨を逸脱しない範囲で種々の変更が可能である。
【００５１】
（ａ）前記実施形態では、連結部を前後方向に沿って又は前後方向と交差するように直線的な形状にしたが、連結部の形成方向は、前フランジ部と後フランジ部とを連結できればどのような形状でもよい。例えば、前フランジ部と後フランジ部とを屈曲した複数条の直線又は湾曲した複数条の曲線（例えばスパイラル形状の曲線）で連結してもよい。
【００５２】
（ｂ）前記実施形態では、ドラグ機構を有さない投げ釣り用のスピニングリールの浅溝形のスプールを例示したが、ドラグ機構を有するスプール等のすべての形式のスピニングリールのスプールに本発明を適用できる。
【００５３】
（ｃ）前記実施形態では、スプール表面に何も処理をしていないが、スプールの糸巻胴部及び前後のフランジ部等の釣り糸が接触する部分に硬質メッキやイオンプレーティング被膜等の硬質被膜を形成してもよい。
【００５４】
（ｄ）前記実施形態では、糸巻胴部の内周側にロータの支持部が収納されるスプールを例に本発明を説明したが、スカート部の内周側にロータの支持部が収納されるスプールにも本発明を適用できる。
【符号の説明】
【００５５】
２    リール本体
４    スプール
４ａ  糸巻胴部
４ｂ  後フランジ部
４ｃ  前フランジ部
４ｄ  スカート部
４ｅ  釣り糸係止部
１６    スプール軸
２５    連結部
２６    連結筒部
１０４    スプール
１０４ａ  糸巻胴部
１２５    連結部
１２６    連結筒部
２０４    スプール
２０４ａ  糸巻胴部
２２５    連結部
２２６    連結筒部
２２９    環状部
３０４    スプール
３０４ａ  糸巻胴部
３２５    連結部
３２５ａ  第１連結部
３２５ｂ  第２連結部
３２６    連結筒部
４０４    スプール
４０４ａ  糸巻胴部
４０４ｄ  スカート部
４２５    連結部
５０４    スプール
５０４ａ  糸巻胴部
５２５    連結部
５２９    環状部
６０４    スプール
６０４ａ  糸巻胴部
６２５    連結部
６２５ａ  第１連結部
６２５ｂ  第２連結部
７０４    スプール
７０４ａ  糸巻胴部
７２５    連結部
７２５ａ  第１連結部
７２５ｂ  第２連結部
７２９    環状部
【図１】
2011239722.tif 000003
【図２】
2011239722.tif 000004
【図３】
2011239722.tif 000005
【図４】
2011239722.tif 000006
【図５】
2011239722.tif 000007
【図６】
2011239722.tif 000008
【図７】
2011239722.tif 000009
【図８】
2011239722.tif 000010
【図９】
2011239722.tif 000011
【図１０】
2011239722.tif 000012
【図１１】
2011239722.tif 000013
【図１２】
2011239722.tif 000014